(57)【要約】      （修正有）【課題】一般の住宅内で火災が発生し住人が気付く事が遅れ家屋の消失と同時に住人の焼死事故が絶えない現状に対して、政府は住宅に火災検知器の設置を義務ずけたが犠牲者の多くは老人と子供が多く、彼らは火災警報が鳴った時にパニック状態になるのでこの様な状態の住人に避難を確実に行うことを要求する事は不可能に近く、屋外からは屋内の異常が判らないので、屋内の異常を検知すると同時に近隣に音と光で知らせて助けに来てもらう事が出来れば問題は解決出来る。【解決手段】近隣と仲良く助け合う良好な関係を保つ事で、屋内で異常事態が起こった時に火災検知器と連動した電波送信機が作動し屋外に設置した受信報知器が音と光を発して近所に異常を知らせて、すぐ助けに駆けつけて貰う。即ち外部から感知する事が難しい屋内の異常事態を外部に音と光で知らせて救助してもらう異常検知無線報知装置である。【選択図】図２
2009129434.tif 000002
【特許請求の範囲】
【請求項１】
一般に市販されている火災検知器の信号出力を取り出し、此の信号により作動する電波送信機と、此の送信機から発射された電波を受信し装置内部の回路を作動させて音と光を発する報知器本体を組み合わせ、屋内に設置した火災検知器が異常を検知し作動した時に同時に電波送信機が作動し、屋外に設置した報知器本体が作動し、屋外からは感知困難な屋内の異常発生を近隣に音と光で知らせ、救援又は救助に駆けつけて貰う事を目的にした、異常検知無線報知装置。
【請求項２】
屋内の住人に異常状態が起きたとき、身近に置かれた内部に電波送信機を内蔵し作動ボタンを備えたペンダント状の機器のボタンを押すことにより電波が送信され請求項１に記載された報知器本体を作動させる事を目的とした、異常検知無線報知装置。
【請求項３】
屋外から侵入しようとする不審者を検知する検知器が作動した時、これに連動して作動する電波送信機が作動し請求項１に記載された報知器本体を作動させる事を目的とした、異常検知無線報知装置。
【発明の詳細な説明】
【技術分野】
【０００１】  本発明は、一般の家庭または企業の職員等が利用する仮眠室等を対象とした、異常発生を検知すると直ちに機器が作動し、近隣の居住者との良好なコミュニケ−ションを前提にした、昔から言われている向う三軒両隣の中での助け合いで問題を解決する為に開発した機器に関するものである。
【背景技術】
【０００２】  最近数多く報道されている一般家庭の火災による死亡事故の多くは高齢者又は子供である、その対策として政府は新築家屋に火災検知器の設置を義務化し、既存の家屋にも猶予期間を設けて設置を義務ずけた。しかし火災が発生し検知器が作動しても発生音を聞いた人がどの様な行動をするかは予測していない、現実は老人や子供はパニック状態になって対処の方法が判らず逃げ遅れて死亡事故となる、そして身体の不自由な老人であれば検知器が作動し警報音が鳴ったとしても単独で屋外に避難する事が出来ない、この事実を考えると警報を発しても対処は住人任せと言う中途半端な対策では火災による死亡事故の解決策とはならない、【０００３】  屋内で発生した異常事態は外部の人には認識する事が困難であるという事実が根本にある、即ち屋内の異常事態が外部に判れば問題解決の糸口を掴む事が可能になる。【０００４】  火災発生の場合に限らず屋内で発生した異常事態を処理する為に近年セキュリティ会社は家屋の内外にセンサ−を取り付け、異常状態をセンサ−が感知すると通信回線を使用して情報センタ−に信号を送り、センタ−ではその情報を基に救急車を手配したり警察に連絡したり、火災であれば消防署に連絡する等の処理を行っている。【０００５】  しかしながら、異常事態が発生しセキュリティ会社が対応し、消防車や救急車が現場に到着し処理活動を開始するまでには最低５分以上の時間を要している事が問題解決を困難にしている。
【発明が解決しようとする課題】
【０００６】  前述で指摘した様に屋内で異常事態が発生しセキュリティ会社に通報が届き受信した係員が消防署や警察に連絡し直ちに行動を開始したとしても現場に消防車、救急車、又は警察官が到着するのに最低５分以上の時間が必要であることが判っている、問題は此の５分以上の空白時間に、火災であれば煙がボヤになり５分の時間が過ぎれば火災となる、又身体の異常を５分間もそのまま放置すれば致命傷に成りかねない。
【０００７】  本発明は以上のような従来の欠点に鑑み、５分間の空白時間をどの様な方法で埋めたならば緊急事態を解消できるのかの視点に立って問題解決の方法を考え、その方法の一案を提起するものである。。
【課題を解決するための手段】
【０００８】  上記目的を達成するためには近隣の住人との相互協力を前提にした、いわゆるアナログ的手法で解決する事が可能であるとの結論に達した。
【０００９】  この場合、過去の時代には向う三軒両隣と言われて近隣の住民どうしが仲良く助け合って生活をし問題が起きれば３人寄れば文殊の知恵を出し合って暮らしていた、このアナログ的生活に、緊急時にはデジタル機器を融合する事で問題解決の一案が提起出来る。
【００１０】  この場合に使用するデジタル機器は設置方法が簡単で、この程度の工事であれば機器の設置を業者に依頼せずに、日曜大工程度の知識があれば全ての工事を自分で完成させる事は容易である、そして若し必要とされる部屋が変わっても簡単に装置を移動する事が可能となる。自分で設置工事する事が可能な本発明のシステム装置を設置する事で一般家庭でも安価な、異常事態検知無線報知装置が設置可能となる。
【００１１】  上記の目的を達成する為に、本発明は既に量産化されて市場に大量に提供されている商品の中で本発明が必要とする機能に近い機能を持っている商品を多少の改造を行い利用する事で、開発費用を掛けて最初から専用部品として製作する無駄を極力避ける事で利用者に安価な装置を提供する事が可能となる。
【００１２】  本発明の前記ならびにその他の目的と新奇な特徴は次の説明を添付図面と照らし合わせて読むと，より完全に明らかになるであろう。
ただし、図面はもっぱら解説のものであって、本発明の技術的範囲を限定するものではない。
【発明を実施するための最良の形態】
【００１３】  以下、図面に示す実施の形態により本発明を詳細に説明する。【００１４】  図１ないし図２の本発明の第１の実施の形態に於いて、火災を検知し警報音を発生する火災検知器、１）と検知器から出力された警報信号によって作動する無線送信機を内蔵する送信ユニット、２）と送信された電波を受信し警報音と点滅回転灯を作動させる本体装置、３）と本体装置に電源を供給するＡＣアダプタ−、４）の組み合わせで本装置は構成されている。【００１５】  １）から４）迄の各部の設置を説明すると、１）の火災検知器と２）の送信ユニットを設置する部屋内の天井、又は階段の壁面に設置する、次に３）の本体装置を家屋外の近隣から容易に確認できる玄関前の軒下などに取り付ける、そして最後に本体に電源を供給する目的のＡＣアダプタ−４）を家屋内に設けられている家庭用ＡＣコンセント７）に差し込みコ−ドの先端を本体のソケットに接続する事で設置作業は終了する。【００１６】  次に、此の装置を作動可能の状態にする手順を説明する。【００１７】  １）の火災検知器の正面の電源スイッチを押して電源を入れる、次ぎに家庭用電源コンセント７）に接続されているＡＣアダプタ−４）から電源を供給されている本体装置３）の電源スイッチを入れる事で装置が作動待機状態にセットされる。【００１８】  次に作動テストの手順を説明するが、火災検知器は市販の現状では次の３種類がある。
１）熱感知式；これは火災発生により部屋の温度が高くなると作動する。
２）煙感知式；これは火災発生時の煙を検知して作動する。
３）光感知式；これは火災の火が発生する紫外線を検知して作動する。【００１９】  どの検知器を選ぶかは万が一火災が発生したときに最初に火災を感知する方式がどれかと言う事を考慮すべきであるが家屋の状態、設置場所を考える事が必要である、例えば火を使うことが多い台所は熱感知方式が適当と思えるが寝室等では煙が発生しやすいので煙り感知方式が適当と思われる。【００２０】  先ず検知器のテストボタンを押すと、自動的に検知器が作動し警報音を発すると同時に無線電波送信機が作動して信号電波が発射され、此の電波を受信した本体装置の受信機が作動しこれにより本体装置の警報音が鳴り点滅回転灯が作動する。
例えば、煙検知器では煙草の煙をはきかけると、同じ作動状態が再現される。
【発明の異なる実施の形態】
【００２１】  上述の場合は焼死事故を防ぐ為の一例であるが、その他の例として一人暮らしの老人の場合を想定すると、身体の異常が生じた老人がペンダント状の形にした無線送信機、５）の発射ボタンを押すことで屋外に設置した本体装置を作動させて近隣の人に異常を知らせ助けを求める事が可能となる。
【００２２】  又例えば不審者が家屋に侵入しようとした時に、屋外に設置した検知器が検知すればこれによって無線電波送信機が作動し、この電波を受信した本体装置が作動して警報を発して近隣に異常を知らせる事によって犯罪行為を未然に防ぐ事も可能である。
【発明の効果】
【００２３】  以上の説明から明らかなように、本発明にあっては次に列挙する効果が得られる。
（１）［請求項１］の構成要件とで構成されているので、市場に存在する一般商品を組み合わせる事で開発のための初期投資を極力抑えて安価な実用品を一般家庭に提供する事が可能になり、問題解決の決め手となる。
（２）［請求項２］の構成要件で構成されているので、要求される要件に直ちに対応が可能となる。
（３）［請求項３］では［請求項１］での本体装置の作動により犯罪抑止力に効果がある。
（４）［請求項２］［請求項３］は［請求項１］の本体装置と組み合わせることで性能が発揮される。
【００２４】  以上のような発明の効果の結果、現在の火災発生時の最大の問題点、即ち警報を出しても住人の行動は住人任せにする現在の処理方法の為に犠牲者が発生する結果になると言う問題が、地域住民の相互協力、そしてプライバシ−の問題に考慮しながら、例えば世話係に家のカギを預ける事で、近隣の人々との良好な関係のもとで解決し、今後ますます増加する独居老人の問題解決にも寄与し、波及効果として犯罪の抑止効果にも寄与すると考えられる等、本発明の効果が発揮される。
【図面の簡単な説明】
【００２５】
【図１】本発明の請求項１の屋内配置の形態の斜視図。
【図２】本発明の請求項１の屋外配置の形態の斜視図。
【図３】本発明の請求項２の形態の斜視図。
【図４】本発明の請求項３の形態の斜視図
【符号の説明】
【００２６】１      火災検知器                      ２      信号送信機
３      本体装置                        ４      ＡＣアダプタ−
５      送信機ペンダント                ６      屋外検知器
７      家庭用ＡＣコンセント            ８
【図１】
2009129434.tif 000003
【図２】
2009129434.tif 000004
【図３】
2009129434.tif 000005
【図４】
2009129434.tif 000006